【手続補正書】
【提出日】平成16年9月15日(2004.9.15)
【手続補正１】
【補正対象書類名】明細書
【補正対象項目名】発明の名称
【補正方法】変更
【補正の内容】
【発明の名称】移動通信システムにおけるサービス方法及び装置
【手続補正２】
【補正対象書類名】明細書
【補正対象項目名】特許請求の範囲
【補正方法】変更
【補正の内容】
【特許請求の範囲】
【請求項１】
基地局と移動端末とがセルラ方式の下で接続する移動通信システムにおけるサービス方法であって、
各基地局の対応に現在位置登録している各端末の端末番号を記憶する位置登録テーブルを備え、
発端末からの被呼端末番号を含む所定の特番発呼を受け付けたことにより、前記位置登録テーブルを参照して、該被呼端末と同一の基地局に位置登録している全端末の内の前記被呼端末を除く何れか１つの端末の端末番号を選択するステップと、
前記選択した端末番号に着信処理を行うステップとを備えることを特徴とするサービス方法。
【請求項２】
基地局と移動端末とがセルラ方式の下で接続する移動通信システムにおけるサービス方法であって、
各基地局の対応に現在位置登録している各端末の端末番号を記憶する位置登録テーブルと、
各基地局の対応に管轄の無線サービスエリアを表す地域情報を記憶しているデータベースとを備え、
発端末からの地域を特定する所定の特番発呼を受け付けたことにより、前記データベースを参照して該地域を管轄する基地局を抽出するステップと、
該抽出した基地局に位置登録した全端末の内の何れか１つの端末の端末番号を選択するステップと、
前記選択した端末番号に着信処理を行うステップとを備えることを特徴とするサービス方法。
【請求項３】
基地局と移動端末とがセルラ方式の下で接続する移動通信システムにおけるサービス方法であって、
各基地局の対応に現在位置登録している各端末の端末番号を記憶する位置登録テーブルと、
各基地局の地理的情報を記憶しているデータベースとを備え、
発端末からの被呼端末番号を含む所定の特番発呼を受け付けたことにより、前記位置登録テーブル及びデータベースを参照して発端末が位置登録している発側基地局から被呼端末が位置登録している着側基地局に到るまでのアクセス情報を求めるステップと、
前記求めた情報を発端末に通知するステップとを備えることを特徴とするサービス方法。
【請求項４】
複数の移動端末の位置情報を管理する移動通信システムにおけるサービス方法において、
ある移動端末において、前記複数の移動端末のうち１の端末を指定するステップと、
該指定された移動端末についての位置情報に基づいて、該移動端末と近い位置情報が管理されている移動端末を特定するステップと、
該特定した移動端末に対して着信させ、前記ある移動端末との通信を可能とするステップと、を備えたことを特徴とするサービス方法。
【請求項５】
前記特定される移動端末は、前記複数の移動端末のうち、予め登録された移動端末の中から特定されることを特徴とする請求項４記載のサービス方法。
【請求項６】
移動通信システムと接続されたサーバにおいて、
基地局とそれに対応する地理的情報のデータベースと、
移動端末から指定されたエリアに対応する基地局の識別情報を該移動端末に通知する通知機能と、を備えたことを特徴とするサーバ。
【請求項７】
複数の移動端末の位置情報を管理する移動通信システムにおけるサービス方法において、
ある移動端末において、前記複数の移動端末のうち１の端末を指定するステップと、
該ある移動端末の位置情報と、該指定された移動端末についての位置情報に基づいて、該位置情報間のアクセス情報をデータベースを参照して求めるステップと、
該アクセス情報を前記ある端末に通知するステップと、を備えたことを特徴とするサービス方法。
【手続補正３】
【補正対象書類名】明細書
【補正対象項目名】０００１
【補正方法】変更
【補正の内容】
【０００１】
【発明の属する技術分野】
本発明は移動通信システムにおけるサービス方法及び装置に関し、更に詳しくは基地局と移動端末とがセルラ方式の下で接続する移動通信システムにおけるサービス方法及び装置に関する。
【手続補正４】
【補正対象書類名】明細書
【補正対象項目名】０００５
【補正方法】変更
【補正の内容】
【０００５】
【課題を解決するための手段】
上記の課題は例えば図１の構成により解決される。即ち、本発明（１）のサービス方法は、基地局と移動端末とがセルラ方式の下で接続する移動通信システムにおけるサービス方法であって、各基地局ＢＴＳ（即ち、セル又は該セルを分割したセクタ）の対応に現在位置登録している各端末ＭＳの端末番号を記憶する位置登録テーブル１１を備え、発端末ＭＳ１１からの被呼端末番号「０９０−２２２２−２２２２」を含む所定の特番発呼を受け付けたことにより、前記位置登録テーブル１１を参照して、該被呼端末ＭＳ２１と同一の基地局ＢＴＳ２３に位置登録している全端末ＭＳ２１〜ＭＳ２３の内の前記被呼端末Ｍ
Ｓ２１を除く何れか１つの端末（例えばＭＳ２２）の端末番号「０９０−２３３３３−３３３３」を選択するステップと、前記選択した端末番号に着信処理を行うステップとを備えるものである。
【手続補正５】
【補正対象書類名】明細書
【補正対象項目名】０００７
【補正方法】変更
【補正の内容】
【０００７】
また本発明（２）のサービス方法は、基地局と移動端末とがセルラ方式の下で接続する移動通信システムにおけるサービス方法であって、各基地局ＢＴＳ（即ち、セル又は該セルを分割したセクタ）の対応に現在位置登録している各端末の端末番号を記憶する位置登録テーブル１１と、各基地局の対応に管轄の無線サービスエリアを表す地域情報を記憶しているデータベース４１とを備え、発端末ＭＳ１１からの地域を特定する所定の特番発呼を受け付けたことにより、前記データベース４１を参照して該地域を管轄する基地局（例えばＢＴＳ２３）を抽出するステップと、該抽出した基地局ＢＴＳ２３に位置登録した全端末ＭＳ２１〜ＭＳ２３の内の何れか１つの端末（例えばＭＳ２２）の端末番号「０９０−３３３３−３３３３」を選択するステップと、前記選択した端末番号に着信処理を行うステップとを備えるものである。
【手続補正６】
【補正対象書類名】明細書
【補正対象項目名】０００９
【補正方法】変更
【補正の内容】
【０００９】
また本発明（３）のサービス方法は、基地局と移動端末とがセルラ方式の下で接続する移動通信システムにおけるサービス方法であって、各基地局ＢＴＳ（即ち、セル又は該セルを分割したセクタ）の対応に現在位置登録している各端末の端末番号を記憶する位置登録テーブル１１と、各基地局の地理的情報を記憶しているデータベース４１とを備え、発端末ＭＳ１１からの被呼端末番号「０９０−２２２２−２２２２」を含む所定の特番発呼を受け付けたことにより、前記位置登録テーブル１１及びデータベース４１を参照して発端末ＭＳ１１が位置登録している発側基地局ＢＴＳ１３から被呼端末ＭＳ２１が位置登録している着側基地局ＢＴＳ２３に到るまでのアクセス情報を求めるステップと、前記求めた情報を発端末ＭＳ１１に通知するステップとを備えるものである。
【手続補正７】
【補正対象書類名】明細書
【補正対象項目名】００１０
【補正方法】変更
【補正の内容】
【００１０】
従って、この場合の発呼者は、単に被呼者宛に特番発呼をするだけで、該被呼者と実際に通話をするまでもなく、被呼者に到るまでのより詳細なアクセス情報（即ち、各駅までの距離，使用交通機関、所要時間、料金等）を容易に取得できる。しかも、従来の様に単なる駅区間のみのアクセス情報ではなく、発呼者や被呼者が現在在圏する各無線サービスエリア（即ち、基地局）から各駅に至るまでのアクセス情報をも含めたトータルのアクセス情報が得られるため、両者の居る場所に寄らず、従来よりも多様な状況に即した、より詳細なアクセス情報が容易に得られる。
また本発明（４）のサービス方法は、複数の移動端末の位置情報を管理する移動通信システムにおけるサービス方法において、ある移動端末において、前記複数の移動端末のうち１の端末を指定するステップと、該指定された移動端末についての位置情報に基づいて
、該移動端末と近い位置情報が管理されている移動端末を特定するステップと、該特定した移動端末に対して着信させ、前記ある移動端末との通信を可能とするステップと、を備えたものである。
本発明（５）においては、上記本発明（４）において、前記特定される移動端末は、前記複数の移動端末のうち、予め登録された移動端末の中から特定されるものである。
また本発明（６）のサーバは、移動通信システムと接続されたサーバにおいて、基地局とそれに対応する地理的情報のデータベースと、移動端末から指定されたエリアに対応する基地局の識別情報を該移動端末に通知する通知機能と、を備えたものである。
また本発明（７）のサービス方法は、複数の移動端末の位置情報を管理する移動通信システムにおけるサービス方法において、ある移動端末において、前記複数の移動端末のうち１の端末を指定するステップと、該ある移動端末の位置情報と、該指定された移動端末についての位置情報に基づいて、該位置情報間のアクセス情報をデータベースを参照して求めるステップと、該アクセス情報を前記ある端末に通知するステップと、を備えたものである。